(57)【要約】  特定範囲の波長の光のうち、特定方向に回転する円偏光を遮光することのできる波長選択性遮光素子を提供するため、透明基板の一部に、第１の方向に回転する第１の円偏光を波長に係らず透過し、第２の方向に回転する第２の円偏光のうち、所定範囲内の波長の第２の円偏光を遮光し、所定範囲外の第２の円偏光を透過する遮光領域を設ける。
2008020591.tif 000002
【特許請求の範囲】
【請求項１】
波長選択性遮光素子であって、
透明基板と、
前記透明基板の一部に設けられ、第１の方向に回転する第１の円偏光を波長に係らず透過し、前記第１の方向と逆方向である第２の方向に回転する第２の円偏光のうち、所定範囲内の波長の前記第２の円偏光を遮光し、前記所定範囲外の前記第２の円偏光を透過する遮光領域とを具備して成る。
【請求項２】
請求項１に記載の波長選択性遮光素子であって、
前記遮光領域が、前記所定範囲内の波長の前記第２の円偏光を反射する反射領域である。
【請求項３】
請求項２に記載の波長選択性遮光素子であって、
前記反射領域が、コレステリック相液晶である。
【請求項４】
請求項３に記載の波長選択性遮光素子であって、
前記反射領域が、
中心周波数λc＝｛（ｎo＋ｎe）／２｝×Ｐ
波長帯域幅Δλ＝（ｎe−ｎo）×Ｐ
ただし、ｎo＝コレステリック相液晶の常光屈折率
ｎe＝コレステリック相液晶の異常光屈折率
Ｐ＝コレステリック相液晶の螺旋ピッチ
の反射波長領域に含まれる光を反射するものである。
【請求項５】
請求項１に記載の波長選択性遮光素子であって、
前記遮光領域が、前記所定範囲内の波長の前記第２の円偏光を回折する第１の回折領域を有する。
【請求項６】
請求項５に記載の波長選択性遮光素子であって、
前記遮光領域が、前記所定範囲外の波長の前記第２の円偏光を前記第１の角度より小さい第２の角度で回折する第２の回折領域を有する。
【請求項７】
請求項５または請求項６に記載の波長選択性遮光素子であって、
前記回折領域が、コレステリック相液晶の回折格子と前記回折格子の間に充填される等方性材料とを含んで構成される。
【請求項８】
請求項７に記載の波長選択性遮光素子であって、
前記回折領域が、
中心波長λc＝｛（ｎo＋ｎe）／２｝×Ｐ
波長帯域幅Δλ＝（ｎe−ｎo）×Ｐ
ただし、ｎo＝コレステリック相液晶の常光屈折率
ｎe＝コレステリック相液晶の異常光屈折率
Ｐ＝コレステリック相液晶の螺旋ピッチ
の反射波長領域近傍の波長の光を回折するものである。
【請求項９】
請求項８に記載の波長選択性遮光素子であって、
前記回折格子の格子深さｄが、［λ／｛２・Δｎ（λ）｝］である。
ただし、λ＝遮光する光の波長
Δｎ（λ）＝｜ｎＰ（λ）−ｎＡ（λ）｜
ｎＰ（λ）＝コレステリック相液晶の第１の円偏光に対する屈折率
ｎＡ（λ）＝コレステリック相液晶の第２の円偏光に対する屈折率
【請求項１０】
請求項１〜９いずれか一項に記載の波長選択性遮光素子を少なくとも２つ積層した波長選択性遮光素子。
【請求項１１】
光ヘッド装置であって、
光源と、
前記光源から放射される光源光を平行にするコリメータレンズと、
光ディスクの記録層に集光させる対物レンズと、
前記光源と前記コリメータレンズとの間の前記光源光の光路中に配置され、前記記録層によって反射された反射光を前記光源光が前記記録層に達するまでの光路とは異なる光路へ偏向分離するビームスプリッタと、
偏向分離された前記反射光を検出する光検出器と、
前記コリメータレンズと前記対物レンズとの間の光路中に配置された、請求項１〜１０いずれか一項に記載の波長選択性遮光素子とを具備して成る。
【請求項１２】
請求項１１に記載の光ヘッド装置であって、
前記光源から放射される前記光源光が直線偏光であり、
前記ビームスプリッタと前記波長選択性遮光素子との間の光路中に配置された、前記光源光を円偏光に変換する位相変調素子を更に具備して成る。
【発明の詳細な説明】
【技術分野】
【０００１】
本発明は、遮光素子およびそれを用いた光ヘッド装置に係り、特に、特定範囲の波長の光のうち、特定方向に回転する円偏光を遮光することのできる波長選択性遮光素子およびそれを用いた光ヘッド装置に関する。
【背景技術】
【０００２】
ＣＤのように一層の記録層を有する光ディスクに加えて、ＤＶＤあるいは高密度ＤＶＤのように記録容量を増大させるために複数の記録層を有する複数層光ディスクが使用されるようになっているが、複数層光ディスクの記録層からの情報の読み出し（以下再生という）時に、光検出器には、再生対象の記録層（再生層）で反射された情報光だけでなく、再生対象でない記録層（非再生層）で反射された光である迷光も入射するため、情報光と迷光とが干渉して再生精度が悪化する場合がある。【０００３】
図８Ａ及び図８Ｂは、２層の記録層を有するＤＶＤ８０８を再生する時の光路図であって、図８Ａは光入射面に近い第１の記録層８０９を再生する時の反射光の光路を、図８Ｂは光入射面から遠い第２の記録層８１０を再生する時の反射光の光路を示す。【０００４】
即ち、ＤＶＤ８０８で反射された反射光は、対物レンズ８０４およびコリメータレンズ８０３を透過して、光検出器８０５に入射する。【０００５】
図８Ａに示すように第１の記録層８０９の再生時には、光源から放射された光源光は第１の記録層８０９上に焦点を結び、第１の記録層８０９で反射された光源光は情報光８０１となって光検出器８０５上に収束する。しかし、光源光は第２の記録層８１０上には焦点を結ばないため第２の記録層８１０で反射された光源光は迷光８０２となって光検出器８０５前方で収束し光検出器８０５では収束しないものの、一部は光検出器８０５に入射する。【０００６】
また、図８Ｂに示すように第２の記録層８１０の再生時には、光源光は第２の記録層８１０上に焦点を結ぶため第２の記録層８１０で反射された情報光８０１は、光検出器８０５上に収束する。しかし、光源光は第１の記録層８０９上に焦点を結ばないため第１の記録層８０９で反射された迷光８０２は、光検出器８０５後方で収束するので光検出器８０５では収束しないが、一部は光検出器８０５に入射する。【０００７】
この結果、光検出器８０５内で、再生層で反射された情報光と非再生層で反射された迷光との干渉が発生するので、再生精度が低下することを回避できない。【０００８】
再生精度を向上するために、再生層で反射された情報光と非再生層で反射された迷光との干渉を低減するために使用する光学部材も既に提案されている（例えば、特開２００５−２０３０９０号公報参照）。【０００９】
上記提案に係る光学部材９は、図９Ａに示すように、有効領域９０１の中央部に光検出器８０５の外形と略同形状のホログラム領域９１が形成されている。【００１０】
光源光は、再生層で反射されて情報光となり、非再生層で反射されて迷光となるが、光学部材９のホログラム領域９１に入射する情報光および迷光はホログラム領域９１で回折されて、光検出器８０５には到達しない。【００１１】
この結果、図９Ｂに示すように、光検出器８０５面において、迷光８０２は、光検出器８０５領域を照射せず、光検出器８０５の周囲９４に拡散する。【００１２】
これに対して、ホログラム領域９１に入射した情報光８０１はホログラム領域９１で回折され光検出器８０５に到達しないものの、ホログラム領域９１以外の領域を透過した情報光８０１は光検出器８０５の３つのセル９２上にスポット９３を形成するので、光検出器８０５において情報光８０１と迷光８０２との干渉は発生せず、複数層光ディスクの再生精度を改善することが可能となる。【００１３】
しかしながら、上記提案に係る光学部材は、ホログラム領域９１は波長に係らず情報光８０１および迷光８０２を回折してしまうので、干渉を防止する必要のない記録層が単層である光ディスク（例えば、ＣＤ）の再生時には光軸近傍の光密度の高い情報光が失われてしまい、光利用率が低下するという課題があった。干渉を防止する必要のない光ディスクの再生時に光学素子を光路から除去することも可能であるが、再生する光ディスクに応じて光学素子を挿入・排出する機構を設ける必要が生じる。
【発明の開示】
【００１４】
よって本発明は、情報光と迷光との干渉を防止する必要がある場合には干渉を防止し、干渉を防止する必要がない場合には光利用率を向上することのできる波長選択性遮光素子およびそれを使用した光ヘッド装置を提供することを目的とする。
【００１５】
本発明によれば、波長選択性遮光素子であって、
透明基板と、
前記透明基板の一部に設けられ、第１の方向に回転する第１の円偏光を波長に係らず透過し、前記第１の方向と逆方向である第２の方向に回転する第２の円偏光のうち、所定範囲内の波長の前記第２の円偏光を遮光し、前記所定範囲外の前記第２の円偏光を透過する遮光領域を具備して成るものが提供される。
【００１６】
この構成により、特定範囲の波長の光のうち、特定方向に回転する円偏光が遮光されることとなる。
【００１７】
前記遮光領域が、前記所定範囲内の波長の前記第２の円偏光を反射する反射領域である構成としてもよい。
【００１８】
この構成により、特定範囲の波長の光のうち、特定方向に回転する円偏光が反射されることとなる。
【００１９】
前記反射領域が、コレステリック相液晶であってもよい。
【００２０】
前記反射領域が、
中心周波数λc＝｛（ｎo＋ｎe）／２｝×Ｐ
波長帯域幅Δλ＝（ｎe−ｎo）×Ｐ
ただし、ｎo＝コレステリック相液晶の常光屈折率
ｎe＝コレステリック相液晶の異常光屈折率
Ｐ＝コレステリック相液晶の螺旋ピッチ
の反射波長領域に含まれる光を反射するものであるものであってもよい。
【００２１】
前記遮光領域が、前記所定範囲内の波長の前記第２の円偏光を回折する第１の回折領域を有する構成であってもよい。
【００２２】
この構成により、特定範囲の波長の光のうち、特定方向に回転する円偏光が回折されることとなる。
【００２３】
前記遮光領域が、前記所定範囲外の波長の前記第２の円偏光を前記第１の角度より小さい第２の角度で回折する第２の回折領域を有する構成であってもよい。
【００２４】
前記回折領域が、コレステリック相液晶の回折格子と前記回折格子の間に充填される等方性材料とで構成されていてもよい。
【００２５】
前記回折領域が、
中心波長λc＝｛（ｎo＋ｎe）／２｝×Ｐ
波長帯域幅Δλ＝（ｎe−ｎo）×Ｐ
ただし、ｎo＝コレステリック相液晶の常光屈折率
ｎe＝コレステリック相液晶の異常光屈折率
Ｐ＝コレステリック相液晶の螺旋ピッチ
の反射波長領域近傍の波長の光を回折する構成を有していてもよい。
【００２６】
なお、本明細書において、反射波長領域近傍の波長とは、短波長側反射波長領域端波長λc＋Δλ以上、λc＋Δλ＋１５０ナノメートル以下の波長あるいは、長波長側反射波長領域端波長λc−Δλ以下、λc−Δλ−１５０ナノメートル以上の波長をいう。
【００２７】
なお、実用上有効な効果を得るためには、反射波長領域近傍の波長は、短波長側反射波長領域端波長λc＋Δλ以上、λc＋Δλ＋１００ナノメートル以下の波長あるいは、長波長側反射波長領域端波長λc−Δλ以下、λc−Δλ−１００ナノメートル以上の波長であることが望ましい。
【００２８】
前記回折格子の格子深さｄが、［λ／｛２・Δｎ（λ）｝］である構成であってもよい。
ただし、λ＝遮光する光の波長
Δｎ（λ）＝｜ｎＰ（λ）−ｎＡ（λ）｜
ｎＰ（λ）＝コレステリック相液晶の第１の円偏光に対する屈折率
ｎＡ（λ）＝コレステリック相液晶の第２の円偏光に対する屈折率
とする。
この構成により、特定範囲の波長の光のうち、特定方向に回転する円偏光を大きい角度で回折されることとなる。
【００２９】
本発明によれば、上記の波長選択性遮光素子を少なくとも２つ積層した構成の波長選択性遮光素子が提供される。
【００３０】
この構成により、複数の特定範囲の波長の光のうち、特定方向に回転する円偏光が遮光されることとなる。
【００３１】
本発明によれば、光ヘッド装置であって、
光源と、
前記光源から放射される光源光を平行にするコリメータレンズと、
光ディスクの記録層に集光させる対物レンズと、
前記光源と前記コリメータレンズとの間の前記光源光の光路中に配置され、前記記録層によって反射された反射光を前記光源光が前記記録層に達するまでの光路とは異なる光路へ偏向分離するビームスプリッタと、
偏向分離された前記反射光を検出する光検出器と、
前記コリメータレンズと前記対物レンズとの間の光路中に配置された、上記に記載の波長選択性遮光素子とを具備して成るものが提供される。
【００３２】
前記光源から放射される前記光源光が直線偏光であり、
前記ビームスプリッタと上記に記載の波長選択性遮光素子との間の光路中に配置された、前記光源光を円偏光に変換する位相変調素子を更に具備する構成としてもよい。
【００３３】
この構成により、複数の記録層を再生する場合に情報光と迷光との干渉が防止されることとなるだけでなく、１つの記録層を再生する場合に光の利用率が向上することとなる。
【００３４】
上述のように本発明によれば、第１の方向に回転する第１の円偏光を波長に係らず透過し、第１の方向と逆方向である第２の方向に回転する第２の円偏光のうち、所定範囲内の波長の第２の円偏光を遮光し、所定範囲外の第２の円偏光を透過する遮光領域を設けることにより、特定方向に回転する特定範囲の波長の光を遮光することができるという効果を有する波長選択性遮光素子およびそれを使用した光ヘッド装置を提供することができる。
【図面の簡単な説明】
【００３５】
【図１Ａ】本発明の第１実施例に係る波長選択性遮光素子の上面図である。
【図１Ｂ】図１ＡのＸ−Ｘ線に沿った断面図である。
【図２】本発明に係る波長選択性遮光素子の第１実施例の動作を示す断面図である。
【図３】図１Ａの波長選択性遮光素子を使用した光ヘッド装置を示す模式図である。
【図４】図３の光ヘッド装置における光検出器の上面図である。
【図５Ａ】本発明の第２実施例に係る波長選択性遮光素子の断面図である。
【図５Ｂ】本発明の第２実施例に係る波長選択性遮光素子の断面図である。
【図６Ａ】本発明の第３実施例に係る波長選択性遮光素子の断面図である。
【図６Ｂ】本発明の第３実施例に係る波長選択性遮光素子の断面図である。
【図７】本発明の第４実施例に係る波長選択性遮光素子の断面図である。
【図８Ａ】従来の光ヘッド装置を示す模式図である。
【図８Ｂ】従来の光ヘッド装置を示す模式図である。
【図９Ａ】従来の光学部材の上面図である。
【図９Ｂ】従来の光ヘッド装置における光検出器の上面図である。
【発明を実施するための最良の形態】
【００３６】
以下、添付の図面を参照しつつ、本発明の実施例について詳細に説明する。なお、以下の説明においては、液晶の螺旋ねじれ方向は時計方向であるとする。
本発明の第１実施例に係る波長選択性遮光素子１は、図１Ａおよび１Ｂに示すように、有効領域１０１を光が透過する透明基板１０の一部に第１の方向（例えば、反時計方向）に回転する第１の円偏光を波長に係らず透過し、第２の方向（例えば、時計方向）に回転する第２の円偏光のうち、所定範囲内の波長の第２の円偏光を遮光し、所定範囲外の第２の円偏光を透過する少なくとも１つの遮光領域１１とを有する。【００３７】
即ち、波長選択性遮光素子１は、２枚の透明基板１０および１２と、透明基板１０上に形成され遮光領域１１として機能するコレステリック相液晶と、遮光領域１１が形成された透明基板１０と透明基板１２の間に充填された充填層１３とから構成される。【００３８】
透明基板１０および１２は、本発明に係る波長選択性遮光素子に積層される他の光学素子と共用してもよい。また、充填層１３は、光学的に等方性であり、本発明に係る波長選択性遮光素子が対象とする波長の光に対して透明であればよく、例えば、アクリル系重合樹脂を適用することができる。【００３９】
コレステリック相液晶としては、コレステリック液晶またはカイラル材が添加されたネマティック液晶を使用することができる。液晶を固体化すると、温度依存性を低減できるだけでなく、液晶の漏洩を防止するためのシール構造が不要となるので、重合性液晶組成物を重合・固体化した高分子コレステリック液晶を使用することが好ましい。【００４０】
高分子コレステリック液晶は、少なくとも一方が重合性を有するネマティック液晶とカイラル剤とを含む重合性液晶組成物を、紫外線照射、加熱等により重合・固体化することにより得られる。【００４１】
コレステリック相液晶は、螺旋ねじれを有し、螺旋ピッチＰが入射光の波長λと略等しい場合、螺旋軸方向から入射し螺旋ねじれ方向と同一方向に回転する円偏光を反射し、逆方向に回転する円偏光を透過する。なお、反射する円偏光の中心波長λcおよび帯域幅Δλは［数１］で与えられる。【００４２】
【数１】
2008020591.tif 000003
【００４３】
即ち、コレステリック相液晶は、液晶の螺旋ねじれ方向と同一方向に回転する波長λの円偏光に対して以下の性質を有する。【００４４】
λc−Δλ／２＜λ＜λc＋Δλ／２の反射波長帯域内の円偏光を反射する。【００４５】
λ≦λc−Δλ／２、または、λc＋Δλ／２≦λの反射波長帯域外の円偏光を透過する。【００４６】
また、コレステリック相液晶は、液晶の螺旋ねじれ方向と逆方向に回転する円偏光に対しては、入射光の波長に係らず透過性を有する等方性媒体として機能し、その屈折率は液晶の常光に対する屈折率と異常光に対する屈折率の平均値に略等しい。【００４７】
従って、遮光部の周辺に充填する充填材としては、波長λ1およびλ2の円偏光に対して平均屈折率と略等しい屈折率を有する材料を使用することが、集光特性の劣化を引き起こす光学的な位相段差が生じないため好ましい。【００４８】
次に、波長選択性遮光素子１の製造方法を説明する。
１）２枚の透明基板のそれぞれ一方の面に塗布したポリイミド膜を塗布・焼成し、ラビング等の配向処理を施して配向膜を形成する。
２）配向膜を内側にして６．２マイクロメートルの間隔を隔てて対向させた２枚の透明基板の間に重合性液晶組成物を注入する。
３）重合性液晶組成物に紫外線を照射して、重合・固体化して高分子コレステリック相液晶とする。【００４９】
例えば、常光屈折率ｎo＝１．５６、異常光屈折率ｎe＝１．６８の重合性ネマティック液晶に、時計回りの重合カイラル剤を螺旋ピッチＰが０．４０５マイクロメートルとなる量添加し、重合・固体化することにより、中心周波数λc＝６６３ナノメートル、帯域幅Δλ＝４９ナノメートルの範囲にある波長の時計回りの円偏光を反射する高分子コレステリック液晶層を得ることができる。
４）２枚のうち一方の透明基板のみ取り除き、遮光領域１１以外の高分子コレステリック液晶層をフォトリソグラフィおよびエッチングにより除去して、透明基板１０上に遮光領域１１が形成された形態を得る。
５）透明基板１０の遮光領域１１上に間隔１０マイクロメートルを隔てて他の透明基板１２を配置し、その間に、例えば屈折率が１．６２である等方性樹脂を充填した後、硬化させる。【００５０】
なお、波長選択性遮光素子１を他の光学素子と積層する場合には、透明基板１０および透明基板１２を他の光学素子と共用してもよい。【００５１】
上記の工程により製造された波長選択性遮光素子１は、図２に示すように、ＤＶＤの記録・再生に適用する波長λ1＝６６０ナノメートルの光のうち、時計回りの円偏光だけを反射し、反時計回りの円偏光および直線偏光を透過する。そして、ＣＤの記録・再生に適用する波長λ1＝７８５ナノメートルの光を偏光状態に係らず透過する。【００５２】
なお、高分子コレステリック液晶層の厚さは、螺旋ピッチの５倍程度とすれば波長選択性を呈するようになるが、実際には螺旋ピッチの１０倍以上とすることが必要であり、より反射率を大きくするには螺旋ピッチの２０倍以上とすることが望ましい。【００５３】
ただし、高分子コレステリック液晶層の厚さは、５０マイクロメートルを超えると液晶層にドメインが生じて配向が乱れるおそれがあるので、５０マイクロメートル以下とすることが必要であり、製造が容易な３０マイクロメートル以下とすることが望ましい。【００５４】
以上説明したように、上記の構成を有する波長選択性遮光素子１によれば、遮光部を形成するコレステリック相液晶の常光屈折率、異常光屈折率、および螺旋ピッチに基づいて定まる波長の円偏光のうち、コレステリック相液晶の螺旋ピッチと同一方向に回転する円偏光を反射させ、反対方向に回転する円偏光を透過させることが可能となる。以下では、光源光は光源から光ディスクの記録層までの光路中の光であり、反射光は光ディスクの記録層から光検出器までの光路中の光として説明する。
波長選択性遮光素子１を使用した光ヘッド装置２は、図３に示すように、ＤＶＤ再生用の波長λ1＝６６０ナノメートルの直線偏光の光源光およびＣＤの記録・再生に適用する波長λ２＝７８５ナノメートルの直線偏光の光源光を放射する光源２１と、光源光を平行直線偏光とするコリメータレンズ２２と、直線偏光の光源光を第１の方向に回転する第１の円偏光に変換する１／４波長板２３と、光ディスク２４の第１の記録層２４１および第２の記録層２４２である２つの記録層の中の第１の記録層２４１に集光するとともに、第１の記録層２４１および第２の記録層２４２で反射されて第１の方向と逆方向である第２の方向に回転する第２の円偏光となった反射光を平行化する対物レンズ２５と、１／４波長板２３と対物レンズ２５の間に配置される波長選択性遮光素子１と、光源２１とコリメータレンズ２２の間に配置され光源光と１／４波長板２３で直線偏光に変換された反射光とを分離するビームスプリッタ２６と、ビームスプリッタ２６で分離された反射光の強度を電気信号に変換する光検出器２７とを含む。なお、第１実施例の波長選択性遮光素子１は、６５０ナノメートル帯の時計方向円偏光を反射する遮光領域１１を有する。また、回折素子２８は、光源２１が放射した直線偏光を１つのメインビームと２つのサブビームに分離する光学素子である。【００５５】
光源２１が放射した波長λ1＝６６０ナノメートルの直線偏光の光源光は、回折素子２８によりメインビームと２つのサブビームに分離し、ビームスプリッタ２６を通過して、コリメータレンズ２２により平行化される。【００５６】
平行化された光源光は、１／４波長板２３によって反時計方向に回転する円偏光に変換され、波長選択性遮光素子１に入射するが、回転方向が反時計方向であるので、波長選択性遮光素子１を透過する。【００５７】
対物レンズ２５は、第１の記録層２４１の再生時には、波長選択性遮光素子１を透過した光源光を再生層である第１の記録層２４１に集光するが、円偏光は非再生層である第２の記録層２４２にも到達する。【００５８】
第１の記録層２４１および第２の記録層２４２で反射された反時計方向に回転する円偏光は、波長λ1の時計方向に回転する円偏光の反射光となり、対物レンズ２５により平行化される。【００５９】
平行化された反射光は第１実施例の波長選択性遮光素子１に入射するが、反射光の回転方向は時計方向であるため、反射光は遮光領域１１で反射され、遮光領域１１以外の領域を透過する。【００６０】
反射光はビームスプリッタ２６で光源光と分離されて光検出器２７に到達するが、第２の記録層２４２で反射された反射光である非情報光のうち、波長選択性遮光素子１の遮光領域１１以外の領域を透過した非情報光は、光検出器面で集光しないため、図４の領域２７５のように、波長選択性遮光素子１の遮光領域１１で覆われる光検出器２７の外側に拡散する。なお、波長選択性遮光素子１の遮光領域１１に入射した非情報光は、遮光領域１１で反射されて光検出器２７には到達しない。【００６１】
これに対し、再生層である第１の記録層２４１で反射された反射光である情報光のうち、波長選択性遮光素子１の遮光領域１１以外の領域を透過した情報光は、図４の黒丸２７６で示すように、光検出器２７に含まれる３つのセル２７１上に集光する。なお、波長選択性遮光素子１の遮光領域１１に入射した情報光も、遮光領域１１で反射されて光検出器２７には到達しない。【００６２】
従って、３つのセル２７１のそれぞれには、第１の記録層２４１で反射された情報光だけが入射し、第２の記録層２４２で反射された非情報光は入射しないため、情報光と非情報光の干渉は発生せず、再生精度を確保することが可能となる。【００６３】
上記は、第１の記録層２４１が再生層、第２の記録層２４２が非再生層である場合について説明したが、第１の記録層２４１を非再生層、第２の記録層２４２を再生層とする場合には、対物レンズ２５を移動させて、第２の記録層２４２上に光源光が焦点を結ぶように調整する。【００６４】
光源２１が放射した波長λ２＝７８５ナノメートルの直線偏光の光源光は、上述の波長λ1（ＤＶＤ用の６５０ナノメートル帯）の直線偏光の光源光と同様に光ヘッド装置２の光路を進行して波長選択性遮光素子１に入射するが、波長選択性遮光素子１は波長λ１＝７８５ナノメートルの光に対しては作用しないので、波長選択性遮光素子１により遮光されずに透過する。波長選択性遮光素子１を透過し、対物レンズ２５により不図示の一層からなる光ディスクの記録層に集光、照射された波長λ１＝７８５ナノメートルの光源光は、記録層で反射されて反射光となり、光路を逆方向に進行して再び波長選択性遮光素子１に入射するが、光源光の場合と同様に、波長選択性遮光素子１を遮光されずに透過して、光検出器２７に到達する。【００６５】
以上説明したように、上記の構成を有する光ヘッド装置２によれば、波長λ１の光源光を用いる複数の記録層をもつ光ディスクを再生する場合に、情報光と迷光との干渉を防止することができる。また、波長λ１と異なる波長λ２の光源光を用いる光ディスクを再生する場合には、光源光を有効に利用することができる。【００６６】
本実施例では、光源２１は、波長λ1（ＤＶＤ用の６５０ナノメートル帯）の直線偏光およびＣＤの記録・再生に適用する波長λ1＝７８５ナノメートルの直線偏光を放射するものとしたが、波長λ1（ＤＶＤ用の６５０ナノメートル帯）および波長λ3（例えば、高密度光ディスク用の４００ナノメートル帯）の直線偏光を放射する光源として機能するものであってもよく、あるいは、波長λ1（ＤＶＤ用の６５０ナノメートル帯）および波長λ3（例えば、高密度光ディスク用の４００ナノメートル帯）の直線偏光を放射する光源として機能するものであってもよい。さらにあるいは、波長λ3（例えば、高密度光ディスク用の４００ナノメートル帯）、波長λ1（ＤＶＤ用の６５０ナノメートル帯）、および波長λ1（ＤＶＤ用の６５０ナノメートル帯）の３波長の直線偏光を放射する光源として機能するものであってもよい。【００６７】
ここで、６５０ナノメートル帯とは６３０〜６７０ナノメートルの帯域を、７８０ナノメートル帯とは７６０〜８００ナノメートルの帯域を、４００ナノメートル帯とは３８５〜４３０ナノメートルの帯域を意味する。【００６８】
光源２１は直線偏光の光を放射するものとしたが、円偏光の光を放射する光源であれば、とくに１／４波長板２３を配置しなくともよい。また、直線偏光の光を円偏光の光に変換するために１／４波長板２３を配置したが、光源光が楕円偏光の光であればその偏光状態を円偏光にする波長板を配置すればよい。これら直線偏光および楕円偏光の光を円偏光に変換する素子を位相変調素子とし、１／４波長板も含むものとする。さらに、位相変調素子は、１／４波長板２３に代えて、複屈折媒体を積層した広帯域波長板をであってもよい。この場合、波長選択性遮光素子１の遮光性を高めることができる。また、戻り光による光源の不安定化を回避することが可能となるだけでなく、波長選択性遮光素子１と広帯域波長板を一体化して部品点数を削減し組み立てを簡略化することも可能となる。【００６９】
また、コリメータレンズ２２は、光源２１とビームスプリッタ２６との間の光源光の光路中に配置し、ビームスプリッタ２６と光検出器２７との間の反射光の光路中に図示しない集光レンズを配置しても同じ機能をするが、部品点数が増加するので、図３の配置が好ましい。
次に本発明の第２実施例について説明する。
本実施例の波長選択性遮光素子５は、図５Ａに示すように、遮光領域５１としてコレステリック相液晶からなる波長選択性回折格子を用いている。本実施例においては、コレステリック相液晶の透過回折性を使用するため、第２実施例の波長選択性遮光素子５で取り扱う光の波長λはλc−Δλ／２以下、または、λc＋Δλ／２以上の反射波長帯域外にあることが好ましい。【００７０】
コレステリック相液晶からなる波長選択性回折格子は、反射波長帯域近傍の波長の光に対しては、コレステリック相液晶の回転方向と同一方向に回転する円偏光の屈折率と反対方向に回転する円偏光との屈折率の差が大きくなる。【００７１】
一方、反射波長帯域から離れた波長の光に対しては、コレステリック相液晶の回転方向と同一方向に回転する円偏光の屈折率と反対方向に回転する円偏光の屈折率はほとんど一致する。【００７２】
コレステリック相液晶の液晶分子の回転方向と同一方向に回転する波長λの円偏光に対する屈折率をｎＰ（λ）、液晶分子の回転方向と反対方向に回転する波長λの円偏光に対する屈折率をｎＡ（λ）、それらの差（屈折率差）をΔｎ（λ）とすると、Δｎ（λ）は［数２］により表される。【００７３】
【数２】
2008020591.tif 000004
【００７４】
反射波長帯域近傍の波長をλ1、反射波長帯域から離れた波長をλ2とすると、Δｎ（λ2）は略零となり、Δｎ（λ1）は大きい値となる。即ち、［数３］が成立する。【００７５】
【数３】
2008020591.tif 000005
【００７６】
そして、遮光性を高めるためには、回折格子の深さｄと屈折率差Δｎ（λ1）の積は［数４］を満足することが望ましい。【００７７】
【数４】
2008020591.tif 000006
【００７８】
特に、波長依存性および入射角度依存性に優れ、格子形成が容易な［数５］を満たす回折格子は、波長λ1の光に対する旋回角度が９０度となり最も好ましい。【００７９】
【数５】
2008020591.tif 000007
【００８０】
コレステリック相液晶は、液晶の螺旋ねじれ方向と逆方向に回転する円偏光に対しては、入射光の波長に係らず透過性を有する等方性媒体として機能し、その屈折率は液晶の常光に対する屈折率と異常光に対する屈折率の平均値に略等しい。【００８１】
従って、遮光部の周辺に充填する充填材としては、波長λ1およびλ2の円偏光に対して平均屈折率と略等しい屈折率を有する材料を使用することが、回折損失を抑制し、旋光分散を大きくする上で好ましい。【００８２】
次に、波長選択性遮光素子５の製造方法を説明する。
１）２枚の透明基板のそれぞれ一方の面にポリイミド膜を塗布・焼成し、ラビング等の配向処理を施して配向膜を形成する。
２）配向膜を内側にして２枚の透明基板を１０．０マイクロメートルの空間を隔てて平行に対向させ、空間にコレステリック液晶またはカイラル剤を添加したネマティック液晶であるコレステリック相液晶を注入する。【００８３】
例えば、常光屈折率ｎ0が１．５６、異常光屈折率ｎeが１．７８であるネマティック液晶にカイラル剤を添加して、時計回り螺旋ピッチＰが０．３５マイクロメートルとなるコレステリック相液晶を注入する。
３）紫外線を照射してコレステリック相液晶を厚さ＝１０．０マイクロメートルとなるように固体化したのち、２枚うち一方の透明基板のみ取り除き、透明基板５０上に固体化したコレステリック相液晶が露出して形成された形態を得る。
４）フォトリソグラフィおよびエッチングにより遮光領域５１の格子ピッチ＝５マイクロメートルの格子部以外のコレステリック相液晶を除去して格子部を形成する。
５）透明基板５０の格子部上に透明基板５２を配置し、その間を例えば屈折率が１．６７の等方性樹脂である充填層５３で充填する。【００８４】
上記の製造方法により、第２実施例の波長選択性遮光素子５は、中心波長λc＝５８５ナノメートル、波長帯域Δλ＝７７ナノメートルの光を回折する。【００８５】
即ち、遮光領域５１は、図５Ｂに示すように、ＤＶＤの記録・再生に使用する波長λ1＝６６０ナノメートルの光のうち、時計回りの円偏光を大きい角度で回折し、反時計周りの円偏光および直線偏光をほとんど回折しない。【００８６】
そして、波長選択性遮光素子５の遮光領域５１は、図５Ｂに示すように、ＣＤの記録・再生に使用する波長λ2＝７８５ナノメートルの光を偏光状態に係らずほとんど回折しない。【００８７】
以上説明したように、上記の構成を有する波長選択性遮光素子によれば、遮光部を形成するコレステリック相液晶の常光屈折率、異常光屈折率、および螺旋ピッチに基づいて定まる波長の円偏光のうち、コレステリック相液晶の螺旋ピッチと同一方向に回転する円偏光を選択的に回折することが可能となる。【００８８】
波長選択性遮光素子５を、波長選択性遮光素子１に代えて光ヘッド装置２に適用すると、遮光した光の伝搬方向が主たる光線経路から離れるので、主たる光線経路上での多重反射などによる影響を低減できる。
次に本発明の第３実施例について説明する。
本実施例の波長選択性遮光素子６は、図６Ａに示すように、遮光部としてコレステリック相液晶で製造した第１の波長選択性回折格子６１を使用する点で第２実施例と同一であるが、第１の波長選択性回折格子６１の外側に第１の波長選択性回折格子６１よりも広い格子ピッチを有する第２の波長選択性回折格子６２を形成する点が第２実施例と相違する。【００８９】
波長選択性遮光素子６は、図６Ｂに示すように、反時計回りの円偏光を透過するが、時計回りの円偏光を第１の波長選択性回折格子６１で大きい角度で回折し、第２の波長選択性回折格子６２で小さい角度で回折する。このときの角度は光の進行方向と回折方向とのなす角度のことである。【００９０】
光検出器２７を、第２の波長選択性回折格子６２で小さい角度で回折された反射光を受光できる位置に配置すれば、光検出器２７に入射・集光しない程度に充分に大きな回折角度を有する第１の波長選択性回折格子６１は反射光の遮光部として機能することとなる。【００９１】
波長選択性遮光素子６を、波長選択性遮光素子１に代えて光ヘッド装置２に適用すると、遮光機能と信号検出用の偏光ホログラム機能を合わせ有する素子とすることが可能となる。
次に本発明の第４実施例について説明する。
本実施例の波長選択性遮光素子７は、図７に示すように、中央の第１のガラス基板７１１を共用して、第１実施例の波長選択性遮光素子１と第２実施例の波長選択性遮光素子５とを積層した構成を有する。【００９２】
即ち、第１のガラス基板７１１と第２のガラス基板７１２とに挟まれた反射型遮光領域７１は、第１実施例の波長選択性遮光素子１の遮光領域１１と同じく、中心波長λc＝６６３ナノメートル、帯域幅Δλ＝４９ナノメートルの時計回り円偏光を反射し、それ以外の光を透過する。【００９３】
第１のガラス基板７１１と第３のガラス基板７１３とに挟まれた回折型遮光領域７２は、第２実施例の波長選択性遮光素子５の遮光領域５１と同じ構成を有するが、回折格子は常光屈折率＝１．５５、異常光屈折率＝１．７１、時計回り螺旋ピッチ＝０．２８５マイクロメートル、厚さ＝１５マイクロメートルのコレステリック相液晶により形成されている。【００９４】
この結果、第２の遮光領域７２は、中心波長λc＝４６５ナノメートル、帯域幅Δλ＝３５ナノメートルの反射波長帯域の光を反射する。反射波長帯域の短波長側の近傍の波長である波長４０５ナノメートルの光に対しては、旋光角度は略９０度となり、円偏光の回転方向により異なる屈折率を有する。【００９５】
第２の遮光領域７２は、反射波長帯域から十分に隔たった６６０ナノメートルおよび７８５ナノメートルの光に対しては、旋光角度は略０度となり、円偏光の回転方向によらず略等しい屈折率を有する。【００９６】
従って、第４実施例の波長選択性遮光素子７は、高密度ＤＶＤ用の４０５ナノメートルの反時計回りの円偏光、ＤＶＤ用の６６０ナノメートルの光、ＣＤ用の７８５ナノメートルの光を透過する。【００９７】
これに対して、高密度ＤＶＤ用の４０５ナノメートルの時計回りの円偏光は、第２の遮光領域７２で大きく回折されるため、光検出器２７に入射しない。また、ＤＶＤ用の６６０ナノメートルの時計回りの円偏光は、第１の遮光領域７１で反射されるため、光検出器２７に入射しない。そして、ＣＤ用の７８５ナノメートルの時計回りの円偏光は、第１の遮光領域７１および第２の遮光領域７２を透過するので、光軸近傍の密度の高い光が失われることはない。【００９８】
光源として波長λ3（例えば、高密度光ディスク用の４００ナノメートル帯）、波長λ1（ＤＶＤ用の６５０ナノメートル帯）、および波長λ2（ＣＤ用の７８５ナノメートル帯）の３波長の直線偏光を放射する光源を用いる以外は同様の構成を有する光ヘッド装置２に、波長選択性遮光素子６を、波長選択性遮光素子１に代えて適用すると、２つの異なる波長λ1およびλ3に対して遮光機能を有する光学素子とすることが可能となるだけでなく、遮光する２つの波長λ1およびλ3の光に対して、それぞれの遮光性能や光線経路を独立に最適に設定することが可能となる。【００９９】
ここでは第１実施例の波長選択性遮光素子１と第２実施例の波長選択性遮光素子５とを積層した構成について説明したが、第１実施例の波長選択性遮光素子１または第２実施例の波長選択性遮光素子５を複数積層した構成としてもよい。また、第３実施例の波長選択性遮光素子６と第１実施例の波長選択性遮光素子１または第２実施例の波長選択性遮光素子５とを積層した構成としてもよい。【０１００】
以上説明したように、第４実施例の波長選択性遮光素子によれば、ＣＤ、ＤＶＤおよび高密度ＤＶＤ再生用の光ピックアップ装置に適用することにより、複数の記録層を有するＤＶＤおよび高密度ＤＶＤ再生時には再生精度を高め、ＣＤ再生時には光利用率を高めることが可能となる。
【産業上の利用可能性】
【０１０１】
以上のように、本発明の波長選択性遮光素子は、特定方向に回転する特定領域の波長の円偏光を遮光できるという効果を有し、光学素子等として有効である。
【図１Ａ】
2008020591.tif 000008
【図１Ｂ】
2008020591.tif 000009
【図２】
2008020591.tif 000010
【図３】
2008020591.tif 000011
【図４】
2008020591.tif 000012
【図５Ａ】
2008020591.tif 000013
【図５Ｂ】
2008020591.tif 000014
【図６Ａ】
2008020591.tif 000015
【図６Ｂ】
2008020591.tif 000016
【図７】
2008020591.tif 000017
【図８Ａ】
2008020591.tif 000018
【図８Ｂ】
2008020591.tif 000019
【図９Ａ】
2008020591.tif 000020
【図９Ｂ】
2008020591.tif 000021
【国際調査報告】
2008020591.tif 000022
2008020591.tif 000023
2008020591.tif 000024
2008020591.tif 000025